(57)【要約】【課題】原稿の原稿ホッパへのセットを、装置本体上方以外から簡便に挿入できるようにすると共に、薄紙原稿についても、用紙のコシの弱さによる座屈を防止して安定供給できるようにすること。【解決手段】原稿１４を給紙する給紙ローラ１と、給紙ローラ1より下側で且つ、原稿１４の給紙方向下流側に設けられ、原稿１４の給紙方向に回転駆動される分離ローラ２と、分離ローラ２に圧接付勢され、所定のトルク以上で回転自在となるリタードローラ３とを有する給紙装置において、回転自在に支軸されリタードローラ３に所定の圧力で付勢される給紙従動ローラ４と、給紙従動ローラ４とリタードローラ３のニップ位置Ｐに原稿１５を挿入するための前方原稿ホッパ７を設けた構成とする。【選択図】図１
2005178943.tif 000002
【特許請求の範囲】
【請求項１】
用紙を給紙する給紙ローラと、前記給紙ローラより下側で且つ、用紙の給紙方向下流側に設けられ、用紙の給紙方向に回転駆動される分離ローラと、前記分離ローラに圧接付勢され、所定のトルク以上で回転自在となるリタードローラとを有する給紙装置において、回転自在に支軸され前記リタードローラに所定の圧力で付勢される給紙従動ローラと、前記給紙従動ローラとリタードローラのニップ位置に用紙を挿入する給紙口または給紙案内路を設けたことを特徴とする給紙装置。
【請求項２】
前記給紙従動ローラは、前記給紙従動ローラと前記リタードローラのニップ位置が、前記分離ローラと前記リタードローラとのニップ位置より、該リタードローラの回転方向上流側周上にあるよう配置したことを特徴とする請求項１記載の給紙装置。
【請求項３】
用紙を前記給紙従動ローラと前記リタードローラのニップ位置から、前記分離ローラと前記リタードローラのニップ位置まで案内する前記リタードローラの周上外側であって、前記給紙従動ローラの近傍に設けられた軸を中心に回動可能なガイド部材を有し、前記ガイド部材は、前記給紙従動ローラと前記リタードローラのニップ位置から用紙が侵入する場合は、前記ガイド部材と前記リタードローラ周上との間に所定の幅の搬送空間を形成し、前記給紙ローラの方向から用紙が侵入する場合は、前記ガイド部材の先端部が、前記リタードローラの軸側へ移動することを特徴とする請求項１記載の給紙装置。
【請求項４】
原稿を給紙する給紙ローラと、前記給紙ローラより下側で且つ、用紙の給紙方向下流側に設けられ、用紙の給紙方向に回転駆動される分離ローラと、前記分離ローラに圧接付勢され、所定のトルク以上で回転自在となるリタードローラと、前記分離ローラより原稿の給紙方向下流側に設けられた原稿を読み取る読取手段とを有する画像読取装置において、回転自在に支軸され前記リタードローラに所定の圧力で付勢される給紙従動ローラと、前記給紙従動ローラとリタードローラのニップ位置に用紙を挿入する給紙口または給紙案内路を設けたことを特徴とする画像読取装置。
【請求項５】
前記給紙従動ローラは、前記給紙従動ローラと前記リタードローラのニップ位置が、前記分離ローラと前記リタードローラとのニップ位置より該リタードローラの回転方向上流側周上にあるよう配置したことを特徴とする請求項４記載の画像読取装置。
【請求項６】
原稿を前記給紙従動ローラと前記リタードローラのニップ位置から、前記分離ローラと前記リタードローラのニップ位置まで案内する前記リタードローラの周上外側であって、前記給紙従動ローラの近傍に設けられた軸を中心に回動可能なガイド部材を有し、前記ガイド部材は、前記給紙従動ローラと前記リタードローラのニップ位置から用紙が侵入する場合は、前記ガイド部材と前記リタードローラ周上との間に所定の幅の搬送空間を形成し、前記給紙ローラの方向から用紙が侵入する場合は、前記ガイド部材の先端部が、前記リタードローラの軸側へ移動することを特徴とする請求項４記載の画像読取装置。
【発明の詳細な説明】
【技術分野】
【０００１】
本発明は、用紙等を繰り出したり、原稿を繰り出して読み取る給紙装置及び画像読取装置に関する。
【背景技術】
【０００２】
大量の原稿を電子化する場合において、原稿を１枚ずつ分離して画像読取部など所定の処理を行う部分に搬送する給紙装置、例えば、ＡＤＦ（オートドキュメントフィーダー）を搭載した画像読取装置などが用いられている。これらの画像読取装置は、近年ではデジタルコピアなど複写機を兼ねた複合機が増加してきているが、パーソナルコンピュータ（以下、ＰＣという）の著しい性能の向上により、個人の机の上でも画像読み取り業務が行われるなど、分散処理化の傾向が顕著である。このような分散処理化の要請に鑑み、個人の机の上でも大きなスペースを取らないＡＤＦ付きイメージスキャナ（以下、ＡＤＦスキャナという）が数多く提案されている（例えば、特許文献１参照）。
【０００３】
ここで、図５は、従来の原稿搬送機構を備える画像読取装置の一般的構造図である。
【０００４】
画像読取装置２３の上方には、原稿１０７を積載するホッパ１００が設けられ、積層された原稿１０７をピックアップして１枚ずつ繰り出し原稿搬送路１１０へ搬送する給紙ローラ１０１及び、搬送方向下流側には、重なりあった原稿どうしの摩擦によって２枚以上が送り出される重送を防止するための分離ローラ１０２とリタードローラ１０３とが設けられている。
【０００５】
更に、分離ローラ１０２とリタードローラ１０３の下流には複数段の搬送ローラ１０６ａ、１０６ｂ、及びプラテンローラ１０５ａ、１０５ｂを配置し原稿１０７を読取部１０４ａ（表面読み取り）、１０４ｂ（裏面読み取り）を経由して、原稿１０７を装置外へ排出する。
【０００６】
即ち、上記のような少設置スペースのＡＤＦスキャナは、その装置の配置面積を少なくするため、原稿の搬送路１１０（以下原稿パスという）を上部後方から下部前方へ高さ方向にレイアウトし、原稿パス１１０の両側に読取部１０４ａ、１０４ｂを配置し、底面や背面もしくは左右側面に回路部１０９を配置するという構成が一般的であった。
【特許文献１】特許第３２８９７６７号公報（第２−３頁、第１図）
【発明の開示】
【発明が解決しようとする課題】
【０００７】
しかしながら、図５に示すように高さ方向に原稿パス１１０を配置した構成のＡＤＦスキャナでは、必然的に原稿１０７をセットする給紙ホッパ１００を原稿パス１１０に略一致する方向に配設しなければならないので、読み取りを行うたびに原稿を装置上方後方の原稿ホッパ１００にセットする必要があり、忙しい業務の合間に簡便に原稿読み取りを行うのがわずらわしいという問題があった。また、分散処理の進展により、窓口業務にこのような少設置スペース型のＡＤＦスキャナを使用する場合も多く、特に角が折れたような原稿や破れた伝票などのように状態の悪い原稿を読み込む場合などは、給紙トラブルを起こす場合も多かった。さらにこのような分散処理においては、一度に多量の原稿を読み取るというよりは、不定期に発生する少量の原稿や帳票を都度読み込みなど、少ない枚数の入力処理に用いる場合も多く、原稿をセットする回数が多くなれば、それだけ原稿セット作業の簡易化の要求も強い。
【０００８】
さらに、原稿を立ててセットする場合には、薄い紙厚の原稿などいわゆるコシの弱い紙の場合、その自重で原稿が座屈し、安定した給紙分離動作に障害をもたらす場合も多く、設置面積の省スペース化とともに、少数原稿の原稿ホッパへのセット作業の簡便化と薄い紙厚原稿の給紙動作安定化が求められていた。
【課題を解決するための手段】
【０００９】
本発明は、上記問題を解決するために、用紙を給紙する給紙ローラと、給紙ローラより下側で且つ、用紙の給紙方向下流側に設けられ、用紙の給紙方向に回転駆動される分離ローラと、分離ローラに圧接付勢され、所定のトルク以上で回転自在となるリタードローラとを有する給紙装置において、回転自在に支軸されリタードローラに所定の圧力で付勢される給紙従動ローラと、給紙従動ローラとリタードローラのニップ位置に用紙を挿入する給紙口または給紙案内路を設けたものである。
【００１０】
この構成により、少ない設置面積でも原稿の原稿ホッパへのセットを、装置本体上方から簡便に挿入することができるようにするとともに、薄紙原稿についても、用紙のコシの弱さによる座屈を防止して安定給紙することができる。
【発明の効果】
【００１１】
以上のように本発明によれば、用紙を給紙する給紙ローラと、給紙ローラより下側で且つ、用紙の給紙方向下流側に設けられ、用紙の給紙方向に回転駆動される分離ローラと、分離ローラに圧接付勢され、所定のトルク以上で回転自在となるリタードローラとを有する給紙装置において、回転自在に支軸されリタードローラに所定の圧力で付勢される給紙従動ローラと、給紙従動ローラとリタードローラのニップ位置に用紙を挿入する給紙口または給紙案内路を設けたもので、高さ方向に原稿パスを配置したような構成のＡＤＦスキャナで数枚程度の読み取りを行う場合には、いちいち装置上方の原稿ホッパに原稿をセットすることなく、別の方向から手軽に原稿を挿入して読み取りを行うことが可能になり、さらに原稿を立ててセットすると、その自重で原稿が座屈し安定した給紙分離動作ができない薄い紙厚の原稿などいわゆるコシの弱い紙の場合でも、安定給紙を可能にすることができる。
【発明を実施するための最良の形態】
【００１２】
本発明の請求項１記載の発明は、用紙を給紙する給紙ローラと、給紙ローラより下側で且つ、用紙の給紙方向下流側に設けられ、用紙の給紙方向に回転駆動される分離ローラと、分離ローラに圧接付勢され、所定のトルク以上で回転自在となるリタードローラとを有する給紙装置において、回転自在に支軸されリタードローラに所定の圧力で付勢される給紙従動ローラと、給紙従動ローラとリタードローラのニップ位置に用紙を挿入する給紙口または給紙案内路を設けた給紙装置であり、高さ方向に構成された給紙搬送路においても装置本体の別の方向から用紙を挿入して読み取りを行うことができるので、その都度、用紙を上方のホッパにセットして読み取る手間を省き、装置本体の別の方向より簡易に用紙を給紙できるという作用を有する。
【００１３】
本発明の請求項２記載の発明は、請求項１記載の発明において、給紙従動ローラは、給紙従動ローラとリタードローラのニップ位置が、分離ローラとリタードローラとのニップ位置より該リタードローラの回転方向上流側の周上にあるよう配置したので、数枚程度の読み取りを行い場合においては、その都度、上方のホッパに用紙をセットせずに、装置本体の横方向から用紙の挿入が可能になり、これにより、紙のコシが弱い用紙であっても、横方向からの用紙を挿入し読み取ることで、自重による座堀を防止し、安定した給紙動作ができるという作用を有する。
【００１４】
本発明の請求項３記載の発明は、請求項１記載の発明において、用紙を給紙従動ローラ
とリタードローラのニップ位置から、分離ローラとリタードローラのニップ位置まで案内するリタードローラの周上外側であって、給紙従動ローラの近傍に設けられた軸を中心に回動可能なガイド部材を有し、ガイド部材は、給紙従動ローラとリタードローラのニップ位置から用紙が侵入する場合は、ガイド部材とリタードローラ周上との間に所定の幅の搬送空間を形成し、給紙ローラの方向から用紙が侵入する場合は、ガイド部材の先端部が、リタードローラの軸側へ移動するので、その都度、用紙を上方のホッパにセットして読み取る手間を省き、装置本体の別の方向より簡易に用紙を給紙できるとともに、装置本体の別の方向から挿入した用紙がガイドに沿って確実に般送されるという作用を有する。
【００１５】
本発明の請求項４記載の発明は、原稿を給紙する給紙ローラと、給紙ローラより下側で且つ、原稿の給紙方向下流側に設けられ、原稿の給紙方向に回転駆動される分離ローラと、分離ローラに圧接付勢され、所定のトルク以上で回転自在となるリタードローラと、分離ローラより原稿の給紙方向下流側に設けられた原稿を読み取る読取手段とを有する画像読取装置において、回転自在に支軸されリタードローラに所定の圧力で付勢される給紙従動ローラと、給紙従動ローラとリタードローラのニップ位置に用紙を挿入する給紙口または給紙案内路を設けた画像入力装置であって、高さ方向に構成された給紙搬送路においても装置本体の別の方向から原稿を挿入して読み取りを行うことができるので、その都度、原稿を上方のホッパにセットして読み取る手間を省き、装置本体の別の方向より簡易に原稿を給紙できるという作用を有する。
【００１６】
本発明の請求項５記載の発明は、請求項４記載の発明において、給紙従動ローラは、給紙従動ローラとリタードローラのニップ位置が、該リタードローラの回転方向上流側の周上にあるよう配置したので数枚程度の読み取りを行い場合においては、その都度、上方のホッパに原稿をセットせずに、装置本体の横方向から原稿の挿入が可能になり、これにより、紙のコシが弱い原稿であっても、横方向からの原稿を挿入し読み取ることで、自重による座堀を防止し、安定した給紙動作ができるという作用を有する。
【００１７】
本発明の請求項６記載の発明は、請求項４記載の発明において、原稿を給紙従動ローラとリタードローラのニップ位置から、分離ローラとリタードローラのニップ位置まで案内するリタードローラの周上外側であって、給紙従動ローラの近傍に設けられた軸を中心に回動可能なガイド部材を有し、ガイド部材は、給紙従動ローラとリタードローラのニップ位置から原稿が侵入する場合は、ガイド部材とリタードローラ周上との間に所定の幅の搬送空間を形成し、給紙ローラの方向から原稿が侵入する場合は、ガイド部材の先端部が、リタードローラの軸側へ移動するので、その都度、原稿を上方のホッパにセットして読み取る手間を省き、装置本体の別の方向より簡易に原稿を給紙できるとともに装置本体の別の方向から挿入した原稿がガイドに沿って確実に搬送されるという作用を有する。
【００１８】
以下、本発明の一実施の形態について、図１から図５を用いて説明する。
【００１９】
図１は本発明の一実施の形態である給紙装置を備えた画像読取装置を示す構成図、図２（ａ）は図１の画像読取装置が備える給紙装置の給紙方法を示す拡大説明図、図２（ｂ）は図１の画像読取装置が備える給紙装置の他の給紙方法を示す拡大説明図、図３（ａ）は図２（ａ）の給紙装置が有する原稿案内と原稿案内切替え装置とを示す斜視図、図３（ｂ）は図２（ａ）の原稿案内切替え装置の拡大断面図、図４（ａ）は図２（ｂ）の給紙装置が有する原稿案内と原稿案内切替え装置を示す斜視図、図４（ｂ）は図２（ｂ）の原稿案内切替え装置の拡大断面図、図５は従来の画像読取装置の一般的構造図を示す説明図を示す。
【００２０】
まず図１を用いて本発明の実施の形態における画像読取装置の給紙機構の構成を説明する。読取装置本体２３の上部には、大量の原稿１４をセットする上方原稿ホッパ６が配設
されている。この上方原稿ホッパ６にセットされた原稿１４は、給紙時には、軸を中心に矢印Ｋ方向へ回動する原稿押え１３によって、給紙ローラ１に押し付けられ、この給紙ローラ１が矢印Ａ方向へ回転し原稿１４を分離ローラ２とリタードローラ３のニップ部へ送り込む。その後、分離ローラ２が矢印Ａ方向へ回転することにより、原稿１４を更に搬送路下流へ搬送する。このリタードローラ３は、支軸１９を中心に揺動可能に軸支されたリタードローラ保持板２０に回転できないように固定された軸２１の回りに、所定の負荷トルクで回転自在に軸支され、図示しないバネにより所定の圧力で分離ローラ２へ弾圧されている。そして、図３（ａ）、図４（ａ）に示す給紙従動ローラ４は、バネ４ａによって、矢印Ｃ方向及びＤ方向へ所定の移動量でスライド可能な支軸２２に回転自在に軸支され、リタードローラ３に弾圧されている。このリタードローラ３は、給紙ローラ１から１枚の用紙１４が繰り出された時には、分離ローラ２の回転トルクを受けて用紙１４の搬送方向である矢印Ａ方向へ向けて回転し、用紙１４が２枚重なって搬送され、ニップ位置Ｎに到達したときには、リタードローラ３は、重送している側の用紙１４が搬送路下流へ搬送されることを防ぐ。
【００２１】
次に図２から図４を用いて、原稿等の搬送路を切り替えるガイド部材（以下、原稿案内５）について説明する。原稿案内５は、図３及び図４に示す支軸２２に回動可能に軸支され、支軸２２の端部に設けられる原稿案内切替え装置５０により原稿案内５を所定の方向へ回動する事で、搬送路を切り替える。ここで、原稿案内５を各搬送路方向へ切り替える原稿案内切替え装置５０（図３（ｂ）、図４（ｂ）に図示）は、図３（ａ）及び図４（ａ）に示すように、支軸２２の端部に固定して設けられるカム５０ｃ、及びロック板バネ５０ｂを有し、このロック板バネ５０ｂは、カム５０ｃに形成される複数の凹部のうちの一つに、スライドスイッチ５０ａによって選択される搬送路に応じて、係合するように配置されている。
【００２２】
更に詳しく説明すると、図３（ｂ）、図４（ｂ）に示すように、この突起部５０ｄはスライドスイッチ５０ａに形成されるスライドスイッチ側凹部５０ｅ内で揺動可能にはめ込まれている。そして、搬送路に応じてスライドスイッチ５０ａを矢印Ｙ方向又は矢印Ｚ方向へ動かすことで、カム５０ｃに形成されるカム側凹部５０ｇ（上方原稿ホッパ６からの給紙位置）、カム側凹部５０ｆ（前方原稿ホッパ７からの給紙位置）のどちらか一方に、ロック板バネ５０ｂがけい合され、搬送路が切り替えられる。即ち、読取装置２３本体の上方原稿ホッパ６から原稿１４が給紙される場合には、原稿案内５の先端部が図２（ａ）に示す矢印Ｆ方向に動き、また、読取装置２３本体の前方原稿ホッパ７の給紙口１８から原稿１５が給紙される場合には、原稿案内５の先端が、図２（ｂ）に示す矢印Ｅ方向に動いて原稿の搬送路が切り替えられる。
【００２３】
尚、搬送路切り替え方法は、上記実施例記載の方法以外に、装置本体外装を兼ねた前方原稿ホッパ７を矢印Ｌ方向へ引きおこし（図１に図示）た際にこの前方原稿ホッパ７と連動して、装置本体前方の挿入口１８から装置内部への搬送路となるように切り替えても良い。
【００２４】
つぎに図１から図３を用いて、装置本体２３の上方原稿ホッパ６に原稿がセットされた場合の給紙動作について詳細に説明する。まず、図３（ａ）の原稿案内切替え装置５０のスライドスイッチ５０ａを矢印Ｙ方向へ動かし、原稿案内５を図２（ａ）に示す矢印Ｆ方向へ切り替えると給紙ローラ１から分離ローラ２までの搬送路が形成される。
【００２５】
図１の上方原稿ホッパ６に原稿１４がセットされＰＣからスキャナに読み取り指令が与えられると、原稿押え１３が矢印Ｋ方向へ回動し原稿１４の束を給紙ローラ１へ押し付ける。給紙ローラ１と分離ローラ２は図示しない給紙モータによって、また搬送ローラ８ａ、８ｂは図示しない搬送モータによって矢印Ａ方向へ回転駆動され、原稿１４は分離ロー
ラ２とリタードローラ３のニップ位置Ｎへ送り込まれる。リタードローラ３は、図示しないトルクリミッタを内臓しており、このトルクリミッタの負荷が原稿１４のさばき力となり、分離ローラ２に当接する側の原稿１枚のみが原稿１４の束から分離され、搬送ローラ８ａと押圧ローラ９ａとのニップ位置Ｐへ送り込まれる。原稿が搬送ローラ８ａと押圧ローラ９ａとのニップ位置Ｐに挟持されると給紙モータは停止し、原稿は搬送ローラ８ａにより読み取り部１０ａ、１０ｂへ送り込まれ、原稿面の画像情報が読み取られ、搬送ローラ８ｂ、９ｂにより排出口１６から排出される。再度給紙モータを駆動すれば、２枚目以降の原稿が読み取り部へ送り込まれ、以下同様の動作を繰り返すことで、上方原稿ホッパ６にセットされた原稿全てを順に読み取ることができる。
【００２６】
次に、図１から図４を用いて、装置本体の前方原稿ホッパ７に原稿がセットされた場合の給紙動作について詳細に説明する。
【００２７】
前方原稿ホッパ７から原稿を給紙する場合、図１と図２（ｂ）に示す給紙口１８から原稿１５の給紙を行う。まず、図４（ａ）の原稿案内切替え装置５０のスライドスイッチ５０ａを矢印Ｚ方向へ動かして、原稿案内５を図２（ｂ）に示す矢印Ｅ方向へ切り替えると給紙従動ローラ４から分離ローラ２までの搬送路が形成される。これと連動して原稿挿入検知センサー１２（図１に図示）が前方原稿ホッパ７上の原稿挿入を検知すると、給紙モータが起動するように制御されている。つまり、給紙口１８から原稿１５が挿入され、原稿挿入検知センサー１２がこれを検知すると、給紙モータにより給紙ローラ１と分離ローラ２は矢印Ａの方向へ回転駆動される。一方リタードローラ３は所定の圧力で分離ローラ２に弾圧されているので、相互の摩擦により矢印Ａ方向に回転駆動される。さらに給紙従動ローラ４も支軸２２（図４（ａ）に図示）に設けられるバネ４ａによってリタードローラ３に付勢されているので、給紙従動ローラ４によって原稿１５が繰り出され、リタードローラ３と給紙従動ローラ４のニップ位置Ｑまで挿入されると、原稿１５はニップ位置Ｑで挟持されて装置内部へ引き込まれる。ここで、上述したように原稿案内５は図２（ｂ）の矢印Ｅ方向に切り替えられているので、リタードローラ３の周上に所定の間隔が発生し、分離ローラ２とリタードローラ３のニップ位置Ｎまで案内するように原稿の搬送路を形成される。そして、給紙口１８より挿入された原稿１５は分離ローラ２とリタードローラ３のニップ位置Ｎへ送り込まれ、これを通過して図１の搬送ローラ８ａと押圧ローラ９ａとのニップ位置Ｐまで送り込まれる。以下、上方原稿ホッパ６から給紙される場合と同様に原稿１５は読み取られ、排出口１６より排出される。また、給紙口１８から挿入される原稿が複数枚の場合には、分離ローラ２とリタードローラ３のニップ位置Ｎでの分離効果が作用するので、上面の１枚のみが分離され読み取り部へ送り込まれる。このときリタードローラ３は２枚目以降の原稿の侵入を阻止するために回転を中止するので、２枚目以降の原稿は、分離ローラ２とリタードローラ３のニップ位置Ｎで停止する。１枚目の原稿を搬送ローラ８ａまで原稿を搬送したところで給紙モータを停止し、上方原稿ホッパ６から原稿を給紙した場合と同様の動作を繰り返すことで、給紙口１８から挿入された原稿１５を全てを読み取ることができる。
【００２８】
尚、上記記載の原稿案内切替え装置５０は、上方原稿ホッパ６又は前方原稿ホッパ７に原稿が挿入されると自動的に搬送路が切り替わるように制御系を構成しても良い。
【産業上の利用可能性】
【００２９】
本発明にかかる給紙装置及び画像読取装置は、用紙を給紙する給紙ローラと、給紙ローラより下側で且つ、用紙の給紙方向下流側に設けられ、用紙の給紙方向に回転駆動される分離ローラと、分離ローラに圧接付勢され、所定のトルク以上で回転自在となるリタードローラとを有する給紙装置において、回転自在に支軸されリタードローラに所定の圧力で付勢される給紙従動ローラと、給紙従動ローラとリタードローラのニップ位置に用紙を挿入する給紙口または給紙案内路を設けたもので、高さ方向に原稿パスを配置したような構
成のＡＤＦスキャナで数枚程度の読み取りを行う場合には、いちいち装置上方の原稿ホッパに原稿をセットすることなく、別の方向から手軽に原稿を挿入して読み取り行うことが可能になり、さらに原稿を立ててセットすると、その自重で原稿が座屈し安定した給紙分離動作ができない薄い紙厚の原稿などいわゆるコシの弱い紙の場合でも、安定給紙を可能にすることができ、用紙等を繰り出したり、原稿を繰り出して読み取る給紙装置及び画像読取装置として有用である。
【図面の簡単な説明】
【００３０】
【図１】本発明の一実施の形態である給紙装置を備えた画像読取装置を示す構成図
【図２】（ａ）図１の画像読取装置が備える給紙装置の給紙方法を示す拡大説明図、（ｂ）図１の画像読取装置が備える給紙装置の他の給紙方法を示す拡大説明図
【図３】（ａ）図２（ａ）の給紙装置が有する原稿案内と原稿案内切替え装置とを示す斜視図、（ｂ）図３（ａ）の原稿案内切り替え装置の拡大断面図
【図４】（ａ）図２（ｂ）の給紙装置が有する原稿案内と原稿案内切替え装置を示す斜視図、（ｂ）図４（ａ）の原稿案内切替え装置の拡大断面図
【図５】従来の原稿搬送機構を備える画像読取装置の一般的構造図
【符号の説明】
【００３１】
１    給紙ローラ
２    分離ローラ
３    リタードローラ
４    給紙従動ローラ
４ａ    バネ
５    原稿案内
６    上方原稿ホッパ
７    前方原稿ホッパ
８ａ    搬送ローラ
８ｂ    搬送ローラ
９ａ    押圧ローラ
９ｂ    押圧ローラ
１０ａ    イメージセンサー（表面読み取り）
１０ｂ    イメージセンサー（裏面読み取り）
１１ａ    プラテンローラ（表面読み取り）
１１ｂ    プラテンローラ（裏面読み取り）
１２    原稿挿入検知センサー
１３    原稿押え
１４    原稿（上方原稿ホッパ）
１５    原稿（前方原稿ホッパ）
１６    排出口
１７    給紙口（上方ホッパ）
１８    給紙口（前方ホッパ）
１９    支軸（リタードローラ保持板）
２１    支軸（リタードローラ）
２２    支軸（給紙従動ローラ）
２３    画像読取装置
５０    原稿案内切替え装置
５０ａ    スライドスイッチ
５０ｂ    ロック板バネ
５０ｃ    カム
５０ｅ    スライドスイッチ側凹部
５０ｆ    カム側凹部（前方給紙時）
５０ｇ    カム側凹部（上方給紙時）
Ｎ    ニップ位置（給紙ローラとリタードローラのニップ位置）
Ｐ    搬送ローラと押圧ローラのニップ位置
Ｑ    リタードローラと給紙従動ローラのニップ位置
【図１】
2005178943.tif 000003
【図２】
2005178943.tif 000004
【図３】
2005178943.tif 000005
【図４】
2005178943.tif 000006
【図５】
2005178943.tif 000007